(57)【要約】【課題】ガードの振動を低減し、ガードによる本体への傷付けを防止するとともに、（ガードがあることで）安全性に配慮されていること。【解決手段】調理プレート１４を包囲する枠状のガード１６と、調理プレート１４の両側面に把手１５を備え、把手１５がガード１６を上から覆うことにより調理プレート１４を外さないとガード１６が本体１２から外せないようにした構成において、ガード１６は垂直水平方向にガタを有し、ガード１６の本体１２への載置はガード１６の下部に設けた弾性体１７を介して行う構成とすることにより、弾性体１７による振動低減あるいは振動絶縁効果で、本体１２からの伝達によるガード１６の振動を低減あるいは絶縁することができ、さらに弾性体１７によりガード１６を本体１２に柔らかく載置する、そして、弾性体１７により相対的に本体１２を硬くする効果でガード１６による本体１２への傷付けを防止することができる。【選択図】図１
2011085312.tif 000002
【特許請求の範囲】
【請求項１】
耐熱性の絶縁材からなる天板と、前記天板を支持する本体と、前記本体に載置され調理を行う調理プレートと、前記調理プレートの側面を包囲するように前記本体に載置する枠状のガードと、前記調理プレートの両側面に耐熱樹脂製の把手を備え、前記把手が前記ガードを上から覆うことにより、前記調理プレートを外さないと前記ガードが前記本体から外せないようにした構成において、前記ガードは垂直水平方向にガタを有し、前記ガードの前記本体への載置は前記ガードの下部に設けた弾性体を介して行う構成とした加熱調理器。
【請求項２】
弾性体はゴムとした請求項１に記載の加熱調理器。
【請求項３】
ガードの内角側の下部にフランジを設け、前記フランジの内縁部と本体に設けた段差部の角部とが嵌合することにより前記ガードを位置決めする構成とし、前記フランジに弾性体を設けた請求項１または２に記載の加熱調理器。
【請求項４】
弾性体はガードの内側に配置し、外側から見え難くした請求項１〜３のいずれか１項に記載の加熱調理器。
【発明の詳細な説明】
【技術分野】
【０００１】
本発明は、加熱調理器に関するものである。
【背景技術】
【０００２】
従来、この種の加熱調理器の本体構成としては、例えば、本体の上に枠状のガードをセットし、その上から把手を両側に設けた調理プレートがセットされる。その際、ガードは４点接触で本体に直接載置していた（例えば、特許文献１参照）。
【０００３】
図７〜９は特許文献１に記載された従来の加熱調理器の本体構成を示すものである。図７〜９において、セラミックで構成された天板１があり、天板１を本体２により支持している。天板１の上には、調理プレート３が載置され、調理プレート３の両側面には耐熱樹脂製の把手４が固定されている。調理プレート３の外周部には、調理プレート３を包囲するように樹脂性のガード５が配置されている。その際、ガード５は４角下部に備えた凸部６を介して４点接触で本体２に直接載置されている。ガード５は垂直水平方向にガタを有している。ガード５と本体２の位置決めはガード５の４角に形成したリブ７と本体１の段差部８の角部の嵌合で行われる。ここで、垂直方向にガタがないと、調理プレート３が浮いてしまう。また、水平方向にガタがないと、ガード５を本体２にセットできない。
【先行技術文献】
【特許文献】
【０００４】
【特許文献１】特開２００５−７８９０１号公報
【発明の概要】
【発明が解決しようとする課題】
【０００５】
しかしながら、前記従来の構成では、ガード５は垂直方向にガタを有しているので振動し易い状態にあり、また、水平方向にガタを有しているので、本体２が傷付き易い状態にあるという課題を有していた。
【０００６】
本発明は、上記従来の課題を解決するもので、ガードの振動を低減し、ガードによる本体への傷付けを防止するとともに、（ガードがあることで）安全性に配慮された調理器を提供することを目的とする。
【課題を解決するための手段】
【０００７】
前記従来の課題を解決するために、本発明の加熱調理器は、ガードの本体への載置はガードの下部に設けた弾性体を介して行う構成としたものである。
【０００８】
これによって、弾性体による振動低減／振動絶縁効果で、本体からの伝達によるガードの振動を低減することができ、さらに、弾性体によりガードを本体に柔らかく載置する／弾性体より本体を硬くする効果でガードによる本体への傷付けを防止することができる。
【発明の効果】
【０００９】
本発明の加熱調理器は、ガードの振動を低減することができ、さらに、ガードによる本体への傷付けを防止することができる。
【図面の簡単な説明】
【００１０】
【図１】本発明の実施の形態１における加熱調理器の斜視図
【図２】本発明の実施の形態１における加熱調理器の上面図
【図３】本発明の実施の形態１における加熱調理器の断面図
【図４】本発明の実施の形態１における加熱調理器の第２の上面図
【図５】本発明の実施の形態１における加熱調理器の部分断面図
【図６】本発明の実施の形態１における加熱調理器の第２の部分断面図
【図７】従来の加熱調理器の斜視図
【図８】従来の加熱調理器の上面図
【図９】従来の加熱調理器の断面図
【発明を実施するための形態】
【００１１】
第１の発明は、耐熱性の絶縁材からなる天板と、前記天板を支持する本体と、前記本体に載置され調理を行う調理プレートと、前記調理プレートの側面を包囲するように前記本体に載置する枠状のガードと、前記調理プレートの両側面に耐熱樹脂製の把手を備え、前記把手が前記ガードを上から覆うことにより、前記調理プレートを外さないと前記ガードが前記本体から外せないようにした構成において、前記ガードは垂直水平方向にガタを有し、前記ガードの前記本体への載置は前記ガードの下部に設けた弾性体を介して行う構成とすることにより、弾性体による振動低減／振動絶縁効果で、本体からの伝達によるガードの振動を低減することができ、さらに、弾性体によりガードを本体に柔らかく載置する／弾性体より本体を硬くする効果でガードによる本体への傷付けを防止することができる。
【００１２】
第２の発明は、特に、第１の発明の弾性体をゴムとすることにより、本体との摩擦力が大きくなってガードと本体の水平方向の相対移動が起こり難くなり、本体をより傷付き難くすることができる。
【００１３】
第３の発明は、特に、第１または第２の発明のガードの内角側の下部にフランジを設け、前記フランジの内縁部と本体に設けた段差部の角部とが嵌合することにより、前記ガードを位置決めする構成とし、前記フランジに弾性体を設けることにより、ガードを確実に位置決めでき、使い勝手を向上することができる。
【００１４】
第４の発明は、特に、第１〜３いずれか１つの発明の弾性体はガードの内側に配置し、外側から見え難くすることにより、見栄えを向上することができる。
【００１５】
以下、本発明の実施の形態について、図面を参照しながら説明する。なお、本実施の形態によって本発明が限定されるものではない。
【００１６】
（実施の形態１）
図１〜５は本発明の第１の実施の形態における加熱調理器の斜視図、上面図、断面図、第２の上面図、部分断面図を示すものである。
【００１７】
図１〜５において、セラミックで構成された天板１１があり、天板１１を下方から本体１２に形成した段差部２０で支持している。両者は、シリコン接着剤１３で接着されている。天板１１の上に、焼肉等の調理を行うアルミダイカスト製の調理プレート１４が載置されており、調理プレート１４の両側面に、調理プレート１４の持ち運び時に使用する耐熱樹脂製の把手１５が取り付けられている。調理プレート１４の外周部には、調理プレート１４を包囲するように形成された枠状のガード１６が本体１２の上に載置されている。ガード１６のセットにより、調理時約２５０℃まで加熱された調理プレート１４に直接触ることができないように（やけどを防止するように）している。
【００１８】
また、把手１５がガード１６を上から覆う構成になっており、調理プレート１４を外さないとガード１６が本体１２から外せないようになっている。ガード１６は垂直水平方向
にガタを有し（垂直方向にガタがないと、調理プレート１４が浮いてしまう。また、水平方向にガタがないと、ガード１６を本体１２にセットできない。）、ガード１６の本体１２への載置はガード１６の下部に設けた弾性体１７を介して行っている。弾性体１７はゴムを使用している。
【００１９】
具体的な弾性体１７の取り付けについては、ガード１６の内角側の下部にフランジ１８を設け、フランジ１８の内縁部１９と本体１２に設けた段差部２０の角部２１とが嵌合することによりガード１６を位置決めする構成とし、そのフランジ１８に弾性体１７を取り付けを行っている。
【００２０】
例えば、本実施の形態では、弾性体１７はフランジ１８に設けた取り付けボス２３に圧入されている。取り付けボス２３にはリブ２４が形成されており、圧入代を調整できるようにしている。
【００２１】
また、弾性体１７はガード１６の内側の縦壁２２より内側に配置している。
【００２２】
以上のように構成された加熱調理器について、以下その動作、作用を説明する。
【００２３】
まず、上記構成において、まず、この本体１２を使用し焼肉等の調理を行っているときに、使用者の不注意で手や指が本体１２に接触してしまいそうになった際、調理プレート１４は耐熱樹脂製のガード１６や把手１５によって側面周囲を完全に包囲されているため、直接、調理プレート１４を触ることがなく、やけどを防止することができる。調理プレート１４の周囲に数ミリ程空間（空気層）を設けて、ガード１６を配置しているので、ガード１６の表面においては調理プレート１４の熱が大きく断熱され、触ってもやけどをするほどの温度には至らないからである。
【００２４】
また、弾性体１７による振動低減あるいは振動絶縁効果で、本体１２からの伝達によるガード１６の振動を低減あるいは絶縁することができ、さらに、弾性体１７によりガード１６を本体１２に柔らかく載置する、そして、弾性体１７により相対的に本体１２を硬くする効果でガード１６による本体１２への傷付けを防止することができる。
【００２５】
特に弾性体１７をゴムとすることにより、本体１２との摩擦力が大きくなってガード１６と本体１２の水平方向の相対移動が起こり難くなり、本体１２をより傷付き難くすることができる。
【００２６】
また、ガード１６の内角側の下部にフランジ１８を設け、フランジ１８の内縁部１９と本体１２に設けた段差部２０の角部２１とが嵌合することによりガード１６を位置決めする構成とし、フランジ１８に弾性体１７を設けることにより、ガード１６を確実に位置決めでき、使い勝手を向上することができる。
【００２７】
また、弾性体１７はガード１６の内側に配置し、外側から弾性体１７の凸部を見え難くすることにより、見栄えを向上することができる。
【００２８】
以上のように、本実施の形態においては、ガード１６の振動を低減し、ガード１６による本体１２への傷付けを防止するとともに、（ガード１６があることで）安全性に配慮された調理器を提供することができる。
【００２９】
なお、本実施の形態では、弾性体１７はゴムとしたが、これに限るものではなく、振動低減作用や傷付け防止作用があれば形態は問わないことはいうまでもない。具体的にはゴムの代わりにエッジ処理を施したばね（圧縮コイルばねなど）を取り付けてもよい。ある
いは、図６のように、フランジ１８に板ばね状のエッジ処理したばね部２５を形成してもよく、この場合は部品点数も低減できる効果がある。
【産業上の利用可能性】
【００３０】
以上のように、本発明にかかる加熱調理器は、ガードの振動を低減することができ、さらに、ガードによる本体への傷付けを防止することができるので、ガードを有する卓上で使用する調理機器等の用途にも適用できる。
【符号の説明】
【００３１】
１１  天板
１２  本体
１４  調理プレート
１５  把手
１６  ガード
１７  弾性体
１８  フランジ
１９  内縁部
２０  段差部
２１  角部
【図１】
2011085312.tif 000003
【図２】
2011085312.tif 000004
【図３】
2011085312.tif 000005
【図４】
2011085312.tif 000006
【図５】
2011085312.tif 000007
【図６】
2011085312.tif 000008
【図７】
2011085312.tif 000009
【図８】
2011085312.tif 000010
【図９】
2011085312.tif 000011